(57)【要約】　　　（修正有）【課題】記録トラックから検出されるウォブル信号と、プリピット信号とに基づく、ライトクロック信号のジッター低減。【解決手段】光ディスクの記録トラックから検出される回転制御用のウォブル信号と、隣り合う記録トラックの間のランドトラックから検出される記録位置検索用のプリピット信号とに基づき、光ディスクの回転及び記録のための制御を行う光ディスク装置であって、互いに隣接する記録トラックとランドトラックとに対して照射された光ビームの反射光に基づき、ラジアルプッシュプル信号を出力するラジアルプッシュプル信号出力手段と、プリピット信号を抽出するための閾値を供給する閾値供給手段と、ラジアルプッシュプル信号と閾値とを比較し、ラジアルプッシュプル信号における閾値を境に２値化したプリピット信号を検出する２値化プリピット検出手段と、２値化したプリピット信号の幅を一定値に補正するプリピット信号幅補正手段と、を備える。【選択図】　　　図４
2004145922.tif 000002
【特許請求の範囲】
【請求項１】
光ディスクの記録トラックから検出される回転制御用のウォブル信号と、隣り合う前記記録トラックの間のランドトラックから検出される記録位置検索用のプリピット信号とに基づき、前記光ディスクの回転及び記録のための制御を行う光ディスク装置であって、
互いに隣接する前記記録トラックと前記ランドトラックとに対して照射された光ビームの反射光に基づき、ラジアルプッシュプル信号を出力するラジアルプッシュプル信号出力手段と、
前記プリピット信号を抽出するための閾値を供給する閾値供給手段と、
前記ラジアルプッシュプル信号と前記閾値とを比較し、前記ラジアルプッシュプル信号における前記閾値を境に２値化した前記プリピット信号を検出する２値化プリピット検出手段と、
前記２値化した前記プリピット信号の幅を一定値に補正するプリピット信号幅補正手段と、
を備えることを特徴とする光ディスク装置。
【請求項２】
前記プリピット信号幅補正手段が用いる前記一定値は、前記光ディスクの未記録領域から取得されるプリピット信号の幅であることを特徴とする請求項１に記載の光ディスク装置。
【請求項３】
前記プリピット信号幅補正手段が用いる前記一定値を記憶する記憶手段を備えることを特徴とする請求項１または２に記載の光ディスク装置。
【請求項４】
前記２値化プリピット検出手段で検出された前記２値化した前記プリピット信号の幅を計測するプリピット信号幅計測手段を更に備えることを特徴とする請求項１乃至３のいずれかに記載の光ディスク装置。
【請求項５】
前記プリピット信号幅補正手段は、前記プリピット信号幅計測手段で計測された前記プリピット信号の幅について、前記記憶手段から読み出された前記一定値に補正することを特徴とする請求項４に記載の光ディスク装置。
【請求項６】
前記プリピット信号幅補正手段は、前記プリピット信号幅計測手段で計測された前記プリピット信号の幅について、前記記憶手段から読み出された前記一定値に置き換えることを特徴とする請求項５に記載の光ディスク装置。
【請求項７】
前記２値化プリピット検出手段で検出された前記２値化した前記プリピット信号の立ち上がりのタイミングを検出するプリピット信号立ち上がり検出手段を更に備え、
前記プリピット信号幅補正手段は、前記プリピット信号の立ち上がりの前記タイミングを始点として、前記記憶手段から読み出された前記一定値を前記プリピット信号の幅とすることを特徴とする請求項３に記載の光ディスク装置。
【請求項８】
光ディスクの記録トラックから検出される回転制御用のウォブル信号と、隣り合う前記記録トラックの間のランドトラックから検出される記録位置検索用のプリピット信号とに基づき、前記光ディスクの回転及び記録のための制御を行う光ディスク装置のプリピット検出方法であって、
互いに隣接する前記記録トラックと前記ランドトラックとに対して照射された光ビームの反射光に基づき、ラジアルプッシュプル信号を出力するステップと、
前記プリピット信号を抽出するための閾値を供給するステップと、
前記ラジアルプッシュプル信号と前記閾値とを比較し、前記ラジアルプッシュプル信号における前記閾値を境に２値化した前記プリピット信号を検出するステップと、
前記２値化した前記プリピット信号の幅を一定値に補正するステップと、
を備えることを特徴とする光ディスク装置のプリピット検出方法。
【発明の詳細な説明】
【０００１】
【発明の属する技術分野】
本発明は、光ディスク装置、及び光ディスク装置のプリピット信号検出方法に関する。
【０００２】
【従来の技術】
レーザー光を利用してデータ記録が可能な記録型の光ディスクには、例えば、ＣＤ−ＲやＤＶＤ−Ｒ、ＤＶＤ＋Ｒ等のデータ追記型（Ｗｒｉｔｅ　Ｏｎｃｅ）の光ディスクと、ＣＤ−ＲＷやＤＶＤ−ＲＷ、ＤＶＤ＋ＲＷ等の書き換え可能型（ＲｅＷｒｉｔａｂｌｅ）の光ディスク（光記録媒体）とがある。
【０００３】
このような光ディスクでは、プリフォーマットとしてグルーブウォブリングとランドプリピットと呼ばれる二つの方式を利用することによって、情報の記録・再生の信頼性を高める工夫がなされている。図５に示すように、まず、光ディスク１の基板上には、情報を記憶するトラックとしてのグルーブトラック４が形成されている。なお、グルーブトラック４は、光ディスク１の回転制御を行う為の基準クロックに基づいた周波数によってウォブリングしている。また、隣り合うグルーブトラック４間の領域は、ランドトラック２と呼ばれ、このトラック４上にプリピット３が形成されている。なお、プリピット３は、光ディスク１への情報記録時の位置検索に必要となるアドレス情報や同期信号等（以下、これらを総称してＬＰＰ（Ｌａｎｄ　Ｐｒｅ−Ｐｉｔ，プリピット）信号と称す）の情報が表現されている。
【０００４】
ここで、光ディスク１への情報の記録・再生を行う光ディスク装置では、情報記録時において、光ビームＢをその中心がグルーブトラック４の中心と一致するように照射し、グルーブトラック４上において記録情報に対応する情報記録ピットを形成する。なお、この際の光スポットＳＰの一部は、光ビームＢを照射したグルーブトラック４の両側に位置するランドトラック２にも照射されるように設定されている。光ディスク装置は、この光スポットＳＰの反射光に基づき、ラジアルプッシュプル（Ｒａｄｉａｌ　ｐｕｓｈ−ｐｕｌｌ）信号を検出する。具体的には、グルーブトラック４からの反射光に基づき、ウォブリング周波数成分を含む信号（以下、ＷＢＬ（Ｗｏｂｂｌｅ）信号と称す）を得る。また、ランドトラック２からの反射光に基づき、ＬＰＰ信号を得る。ＷＢＬ信号の所定の位相位置に対し、ＬＰＰ信号を重畳させることにより、ラジアルプッシュプル（Ｒａｄｉａｌ　ｐｕｓｈ−ｐｕｌｌ）信号を生成する。
【０００５】
光ディスク装置は、このラジアルプッシュプル信号に含まれるＷＢＬ信号及びＬＰＰ信号を抽出し、それらの抽出した信号に基づいて、光ディスク１の回転制御や光ディスク１への情報の記録・再生に係る制御を行う。
【０００６】
このＬＰＰ信号の抽出について説明すると、ＷＢＬ信号と固定の閾値（スライス・レベル）とを比較し、この閾値を超える信号のみを抽出する。この抽出された信号と、ＷＢＬ信号に同期したゲート信号との論理積をとることにより、ＷＢＬ信号に重畳されたＬＰＰ信号を抜き出していた（例えば、特許文献１参照。）。
【０００７】
【特許文献１】
特開２０００−２９３８５５号公報
【０００８】
【発明が解決しようとする課題】
前述したような従来技術にあっては、記録時に抽出されるＬＰＰ信号の幅が変動してしまい、ライトクロック信号のジッターを低減できないといった問題があった。
【０００９】
このＬＰＰ信号の幅が変動する原因としては、レーザー光を照射するＬＤ（レーザーダイオード）のＷｒｉｔｅパルスによる変調であったり、記録データにおけるマークとスペース領域との中間の位置でレーザー光の反射光を受光してしまうことである。また、レーザー光のパワー・レベルが異なることによっても、スライス・レベルで２値化されたＬＰＰ信号の幅に変動を発生させる。
【００１０】
特に、記録領域でのＬＰＰ信号の波形は、前述したＬＤのパルス変調を受け、プリピット以外の部分の信号も高めてしまう。このため、このプリピット以外の部分の信号をＬＰＰ信号として誤って検出してしまう可能性が高くなる。したがって、記録時において検出されるＬＰＰ信号は、実際のＬＰＰ信号とは異なった幅となる可能性が高くなってしまう。
【００１１】
このようなＬＰＰ信号幅の変動により、ライトクロック信号の生成におけるＰＬＬ制御の位相比較の際に、ＰＬＬコントロール信号に余分な制御電圧を発生させてしまう。このため、ライトクロック信号のＰＬＬ制御において、ＶＣＯジッターの悪化を引き起こし、最良な記録を行うことができなくなる。
【００１２】
【課題を解決するための手段】
そこで、本発明に係る主たる発明では、光ディスクの記録トラックから検出される回転制御用のウォブル信号と、隣り合う前記記録トラックの間のランドトラックから検出される記録位置検索用のプリピット信号とに基づき、前記光ディスクの回転及び記録のための制御を行う光ディスク装置であって、
互いに隣接する前記記録トラックと前記ランドトラックとに対して照射された光ビームの反射光に基づき、ラジアルプッシュプル信号を出力するラジアルプッシュプル信号出力手段と、前記プリピット信号を抽出するための閾値を供給する閾値供給手段と、前記ラジアルプッシュプル信号と前記閾値とを比較し、前記ラジアルプッシュプル信号における前記閾値を境に２値化した前記プリピット信号を検出する２値化プリピット検出手段と、前記２値化した前記プリピット信号の幅を一定値に補正するプリピット信号幅補正手段と、を備える。
本発明の他の特徴については、添付図面及び本明細書の記載により明らかにする。
【００１３】
【発明の実施の形態】
＝＝＝＝＝開示の概要＝＝＝＝＝
少なくとも次のことが明らかにされる。
本発明に係る光ディスク装置では、光ディスクの記録トラックから検出される回転制御用のウォブル信号と、隣り合う前記記録トラックの間のランドトラックから検出される記録位置検索用のプリピット信号とに基づき、前記光ディスクの回転及び記録のための制御を行うのであって、
互いに隣接する前記記録トラックと前記ランドトラックとに対して照射された光ビームの反射光に基づき、ラジアルプッシュプル信号を出力するラジアルプッシュプル信号出力手段と、前記プリピット信号を抽出するための閾値を供給する閾値供給手段と、前記ラジアルプッシュプル信号と前記閾値とを比較し、前記ラジアルプッシュプル信号における前記閾値を境に２値化した前記プリピット信号を検出する２値化プリピット検出手段と、前記２値化した前記プリピット信号の幅を一定値に補正するプリピット信号幅補正手段と、を備える。
【００１４】
前記プリピット信号幅補正手段が用いる前記一定値は、前記光ディスクの未記録領域から取得されるプリピット信号の幅であることとできる。
前記プリピット信号幅補正手段が用いる前記一定値を記憶する記憶手段を備えることとできる。
前記２値化プリピット検出手段で検出された前記２値化した前記プリピット信号の幅を計測するプリピット信号幅計測手段を更に備えることとできる。
【００１５】
前記プリピット信号幅補正手段は、前記プリピット信号幅計測手段で計測された前記プリピット信号の幅について、前記記憶手段から読み出された前記一定値に補正することとできる。
前記プリピット信号幅補正手段は、前記プリピット信号幅計測手段で計測された前記プリピット信号の幅について、前記記憶手段から読み出された前記一定値に置き換えることとできる。
【００１６】
前記２値化プリピット検出手段で検出された前記２値化した前記プリピット信号の立ち上がりのタイミングを検出するプリピット信号立ち上がり検出手段を更に備え、前記プリピット信号幅補正手段は、前記プリピット信号の立ち上がりの前記タイミングを始点として、前記記憶手段から読み出された前記一定値を前記プリピット信号の幅とすることとできる。
【００１７】
本発明に係る光ディスク装置のプリピット検出方法では、光ディスクの記録トラックから検出される回転制御用のウォブル信号と、隣り合う前記記録トラックの間のランドトラックから検出される記録位置検索用のプリピット信号とに基づき、前記光ディスクの回転及び記録のための制御を行うのであって、
互いに隣接する前記記録トラックと前記ランドトラックとに対して照射された光ビームの反射光に基づき、ラジアルプッシュプル信号を出力するステップと、前記プリピット信号を抽出するための閾値を供給するステップと、前記ラジアルプッシュプル信号と前記閾値とを比較し、前記ラジアルプッシュプル信号における前記閾値を境に２値化した前記プリピット信号を検出するステップと、前記２値化した前記プリピット信号の幅を一定値に補正するステップと、を備える。
【００１８】
＝＝＝＝＝実施例＝＝＝＝＝
＜＜＜システム全体構成＞＞＞
本発明の一実施形態である光ディスク装置を含めたシステム全体の概略構成につき、図１を参照して説明する。光ディスク装置１０は、光ピックアップ１１、ＷＢＬ（ウォブル信号）検出部１２、ＬＰＰ検出部１３、ライトクロック生成部１４、デコーダ１５、スピンドルモータ１６、スピンドルサーボ回路１７、光ピックアップサーボ回路１８、プロセッサ１９、インタフェース部２０、エンコーダ２１、レーザー制御部２２、及びＲＯＭ２３を有する。
【００１９】
また、光ディスク装置１０は、インタフェース部２０を介して、外部のホストコンピュータ２４と接続される。このホストコンピュータ２４から光ディスク１へ記録すべきデータＳＷＤが光ディスク装置１０に入力される。
【００２０】
光ピックアップ１１は、光ディスクへのデータの記録・再生のための手段であり、レーザダイオード、ビームスプリッタ、対物レンズ、ホトダイオードなど（いずれも不図示）を含む。この光ピックアップ１１は、レーザ制御信号ＳＤＬに基づいて光ビームＢを光ディスク１の記録トラックに照射する。照射した光ビームＢの反射光をホトダイオードの第１の分割受光部と第２の分割受光部とに受光する。これら第１の分割受光部と第２の分割受光部は、記録トラックの接線方向に対して光学的に平行である。
【００２１】
この光ピックアップ１１には、光ディスク１面上における光ビームＢの焦点を補正するフォーカスサーボ、入射された光ビームＢの中心とトラック中心とのずれを補正するトラッキングサーボ、光ビームＢの光軸と光ディスク１との直交関係のずれを補正するチルトサーボ、といった各種サーボ制御を行う為のメカニズム（機構）が組み込まれている。この光ピックアップ１１の構成は、例えば、電波新聞社発行の「ＤＶＤ＆ＤＶＣ入門基本１８章」の１７頁の第１−８図に示されるような周知のハードウェア構成を用いて実現される。
【００２２】
ＷＢＬ検出部１２は、図２に示すように、ウォブル（ＷＢＬ）信号Ｂ．Ｐ．Ｆ．（Ｂａｎｄ　Ｐａｓｓ　Ｆｉｌｔｅｒ）回路１２ａ及びコンパレータ１２ｂ等によって構成される。光ビームＢの反射光に基づいて検出されたラジアルプッシュプル信号ＳＤＴがウォブル信号Ｂ．Ｐ．Ｆ．回路１２ａに入力される。ウォブル信号Ｂ．Ｐ．Ｆ．回路１２ａにより、ラジアルプッシュプル信号ＳＤＴにおける高周波のノイズ成分が除去され、ＷＢＬ信号成分Ａ＿ＷＢＬが抽出される。このＷＢＬ信号成分Ａ＿ＷＢＬ（マイナス側）と基準電圧（プラス側）とをコンパレータ１２ｂで比較することで２値化ＷＢＬ信号を出力する。この２値化ＷＢＬ信号は、図１に示すライトクロック生成部１４やスピンドルサーボ回路１７などに出力される。なお、コンパレータ１２ｂに入力される基準電圧は、プロセッサ１９から指定されたゼロクロス・レベル（閾値電圧）を不図示のＤＡＣ（Ｄ／Ａコンバータ）により変換されたアナログ値である。また、コンパレータ１２ｂにヒステリシス特性を持たせれば、耐ノイズ性を高くすることができ、２値化ＷＢＬ信号を高精度且つ確実に検出できる。
【００２３】
ＬＰＰ検出部１３は、図２に示すように、ラジアルプッシュプル信号出力手段として、レベル切り替え回路１３ａ、振幅調整回路１３ｂ、及び差分演算器１３ｃを備える。
加えて、ＬＰＰ検出部１３は、ＬＰＰ検出スライス・レベル調整用ＤＡＣ（Ｄ／Ａコンバータ，閾値供給手段）１３ｄ及びコンパレータ（２値化プリピット検出手段）１３ｅを備える。
【００２４】
この構成において、各回路１３ａ、１３ｂ、１３ｃの処理により、記録時における記録データのマークとスペース領域において、前述した第１及び第２の分割受光部それぞれの出力信号の振幅が調整され、調整された信号の差分演算が行われる。この差分演算の結果として、ラジアルプッシュプル信号ＳＤＴが検出される。
【００２５】
一方、プロセッサ１９から指定されたデジタル値ＶｓがＬＰＰ検出スライス・レベル調整用ＤＡＣ１３ｄに入力される。このデジタル値Ｖｓに基づき、ＬＰＰ検出スライス・レベル調整用ＤＡＣ１３ｄはスライス・レベルＳｒｅｆを生成する。そして、このスライス・レベルＳｒｅｆ（プラス側）と、光ビームＢの反射光に基づいて検出されたラジアルプッシュプル信号ＳＤＴ（マイナス側）とが、コンパレータ１３ｅで比較される。この比較結果として、コンパレータ１３ｅは２値化ＬＰＰ信号ＬＰＰを出力する。この２値化ＬＰＰ信号ＬＰＰは、図１に示すライトクロック生成部１４やデコーダ１５などに出力される。なお、コンパレータ１３ｅにヒステリシス特性を持たせれば、耐ノイズ性を高くすることができ、２値化ＬＰＰ信号ＬＰＰを高精度且つ確実に検出できる。
【００２６】
ライトクロック生成部１４では、図３に示すように、光ディスク１へ情報を記録するためのライトクロック（ＷＣＬＫ）信号を生成し、ＬＰＰ幅エッジカウンター回路１４ｎ及びデコーダ１５等へ出力する。詳しくは、ライトクロック生成部１４は、ＬＰＰＷｉｎｄｏｗ回路１４ａ、ＬＰＰＧａｔｅ回路１４ｂ、位相オフセット回路１４ｃ、位相比較器１４ｄ，１４ｅ、ＬＰＦ（Ｌｏｗ　Ｐａｓｓ　Ｆｉｌｔｅｒ）１４ｆ，１４ｇ、ＶＣＯ回路１４ｈ、分周器１４ｉ、ウォブルフィルター回路１４ｊ、及びチャージポンプ回路１４ｋ，１４ｌを備える。
【００２７】
加えて、ライトクロック生成部１４は、ＬＰＰ信号エッジカウンター回路（プリピット信号幅計測手段）１４ｍ、ＬＰＰ信号幅補正回路（プリピット信号幅補正手段）１４ｎ、及びＬＰＰ補正幅設定レジスタ（記憶手段）１４ｏを備える。
【００２８】
ＬＰＰＷｉｎｄｏｗ回路１４ａ及びＬＰＰＧａｔｅ回路１４ｂは、入力された２値化ＬＰＰ信号ＬＰＰのうち不要な信号ＬＰＰを除去する。ＬＰＰＷｉｎｄｏｗ回路１４ａは、光ディスク１の欠陥やスライス・レベルＳｒｅｆの設定不備等により生じる無用なパルスを除去する。一方、ＬＰＰＧａｔｅ回路１４ｂは、図２に示すレベル切り替え回路１３ａにおけるライト状態とリード状態のレベル差を合わせる。このことで、ＬＰＰＧａｔｅ回路１４ｂは、２値化ＬＰＰ信号ＬＰＰのうち、変動の小さいｂ２信号のみをＧＡＴＥ信号でもって抽出する。このように、Ｗｉｎｄｏｗ回路１４ａ及びＬＰＰＧａｔｅ回路１４ｂを通過した２値化ＬＰＰ信号ＬＰＰは、ＬＰＰ信号エッジカウンター回路１４ｍへ入力される。このＬＰＰ信号エッジカウンター回路１４ｍには、ＶＣＯ１４ｈからのライトクロック信号ＷＣＬＫも入力される。そして、ＬＰＰ信号エッジカウンター回路１４ｍは、入力された２値化ＬＰＰ信号ＬＰＰにおける立ち上がりのエッジから立ち下がりのエッジまでの期間をライトクロック信号ＷＣＬＫでカウントする。すなわち、ＬＰＰ信号エッジカウンター回路１４ｍから出力されるカウント値は、検出された２値化ＬＰＰ信号ＬＰＰの幅を表す。
【００２９】
このカウント値は、従来技術の課題として説明したように、Ｗｒｉｔｅパルスの変調等により変動する。この変動を抑えるべく、ＬＰＰ信号エッジカウンター回路１４ｍから出力されるカウント値をＬＰＰ信号幅補正回路でもって固定の一定値に補正する。
【００３０】
この固定の一定値に補正する手法としては、ＬＰＰ信号幅補正回路１４ｎが、ＬＰＰ補正幅設定レジスタ１４ｏに記憶されている固定パルス幅を読み出し、ＬＰＰ信号エッジカウンター回路１４ｍによるカウント値を固定パルス幅で置き換える。そして、ＬＰＰ信号幅補正回路１４ｎは、この固定パルス幅を位相比較器１４ｄに供給する。
【００３１】
この他、固定の一定値に補正する手法の変形例として、２値化ＬＰＰ信号ＬＰＰにおける立ち上がりのエッジのタイミングを検出する回路（プリピット信号立ち上がり検出手段）でもって、ＬＰＰ信号エッジカウンター回路１４ｍを置き換える。あるいは、ＬＰＰ信号エッジカウンター回路１４ｍは、カウント値を出力せず、立ち上がりのエッジのタイミング信号を検出して出力するように構成する。すなわち、変動しうる実際の２値化ＬＰＰ信号ＬＰＰの幅をカウントすることなく、立ち上がりのエッジのタイミングを検出し、このタイミング信号が供給されたＬＰＰ信号幅補正回路１４ｎは、このタイミングを始点（基準）する固定パルス幅を位相比較器１４ｄに供給するように構成してもよい。
【００３２】
ここで、ＬＰＰ補正幅設定レジスタ１４ｏに記憶されている固定パルス幅の設定について説明する。光ディスクの再生時において、その未記録領域における２値化ＬＰＰ信号ＬＰＰの幅を測定する。すなわち、再生時において、前述したように、ＬＰＰ信号エッジカウンター回路１４ｍでもって、未記録領域の２値化ＬＰＰ信号ＬＰＰにおける立ち上がりのエッジから立ち下がりのエッジまでの期間をカウントする。このカウントの動作を一定期間繰り返し、そのカウント値の平均値を固定パルス幅としてＬＰＰ補正幅設定レジスタ１４ｏに格納する。このように光ディスクの未記録領域を測定することにより、安定した２値化ＬＰＰ信号を固定パルス幅として取得することができる。
【００３３】
次に、図３に示すように、ＷＢＬ検出部１２で得られた２値化ＷＢＬ信号ＷＢＬは、ウォブルフィルター回路１４ｊを経て位相比較器１４ｅに入力される。この位相比較器１４ｅには、分周器１４ｉで分周されたライトクロック信号ＷＣＬＫも入力される。位相比較器１４ｅに入力された２値化ＷＢＬ信号ＷＢＬは、分周されたライトクロック信号ＷＣＬＫと位相比較され、その位相成分はＬＰＦ１４ｇに入力される。この位相成分が通過したＬＰＦ１４ｇから得られる制御信号はＶＣＯ１４ｈに入力される。その結果、ＶＣＯ１４ｈからのライトクロック信号ＷＣＬＫは、２値化ＷＢＬ信号ＷＢＬにロックされる。この２値化ＷＢＬ信号ＷＢＬにロックされたライトクロック信号ＷＣＬＫは、位相オフセット回路１４ｃに入力される。その結果、ライトクロック信号ＷＣＬＫの位相は、２値化ＬＰＰ信号ＬＰＰ付近にオフセット（移動）される。
【００３４】
位相オフセット回路１４ｃの出力は、前述した位相比較器１４ｄに入力される。その結果、位相オフセット回路１４ｃの出力は、ＬＰＰ信号幅補正回路１４ｎからの固定パルス幅と位相比較され、その位相成分はチャージポンプ回路１４ｌ及びＬＰＦ１４ｆを通過する。このＬＰＦ１４ｆの出力は、制御信号としてＶＣＯ１４ｈに入力される。したがって、２値化ＷＢＬ信号ＷＢＬにロックされたライトクロック信号ＷＣＬＫの位相を２値化ＬＰＰ信号ＬＰＰに合わせることができる。すなわち、ライトクロック信号ＷＣＬＫは、２値化ＷＢＬ信号ＷＢＬ及び２値化ＬＰＰ信号ＬＰＰにＰＬＬ制御される。
【００３５】
ここで、ＬＰＰ信号エッジカウンター回路１４ｍから出力されるカウント値をＬＰＰ信号幅補正回路でもって固定の一定値に補正する動作について、図４に示す各種信号▲１▼乃至▲７▼の波形図を参照して説明する。なお、信号▲２▼▲５▼▲６▼▲７▼については、図３のブロック回路中にも記載されている。まず、本来の２値化ＬＰＰ信号は、図中▲１▼の物理的ＬＰＰ信号に示すような一定幅のパルス波形となっている。
【００３６】
しかしながら、従来では、前述したように、２値化ＬＰＰ信号の幅が変動し、図中▲２▼に示すような波形となってしまう。その結果、図中▲３▼のＰＬＬ　ＶＣＯクロック信号（ライトクロック信号）の立上りのエッジを境とし、図中▲２▼の２値化ＬＰＰ信号におけるパルス波形の後半部を反転させたチャージポンプ１４ｌの出力信号は、図中▲４▼に示すような波形となる。このチャージポンプ１４ｌの出力信号は、前述したように、位相比較器１４ｄの出力に基づく。この図中▲４▼に示す波形のチャージポンプ１４ｌの出力信号において、波形中の黒塗部分が位相比較器１４ｄの出力の乱れに相当し、この乱れがＰＬＬのコントロール信号の余分な制御電圧を生成させる原因となる。つまり、この余分な制御電圧がＶＣＯジッターの悪化を引き起こす。
【００３７】
これに対し、本発明に係る実施の形態では、図中▲５▼に示すように、図３のＬＰＰ信号幅補正回路１４ｎから、固定パルス幅に基づく補正後のＬＰＰ信号が出力される。その結果、図中▲６▼のＰＬＬ　ＶＣＯクロック信号（ライトクロック信号）の立上りのエッジを境とし、図中▲５▼の２値化ＬＰＰ信号におけるパルス波形の後半部を反転させたチャージポンプ１４ｌの出力信号は、図中▲７▼に示すような変動のない安定した波形となる。この図中▲７▼の安定した波形は、図中▲１▼の一定幅のパルス波形についてその中点を境に後半部を反転させた理想的な波形に近似する。このため、位相比較器１４ｄの出力が乱れず、ＰＬＬのコントロール信号の制御電圧が安定し、ＶＣＯジッターの悪化を防止できる。
【００３８】
なお、図１に示すように、デコーダ１５は、２値化ＬＰＰ信号からアドレス情報や同期信号をデコードし、そのデコードした内容をＷＣＬＫ信号と対応づけたタイミング信号ＳＷＴをプロセッサ１９に出力する。
【００３９】
スピンドルサーボ回路１７は、光ディスクを回転動作させるスピンドルモータ１６のサーボ機構である。このスピンドルサーボ回路１７は、ＷＢＬ検出部１２から２値化ＷＢＬ信号やＷＢＬ信号成分Ａ＿ＷＢＬなどのウォブリング周波数情報が入力されると、そのウォブリング周波数情報に基づくスピンドル制御信号ＳＳＳをスピンドルモータ１６に出力し、スピンドルモータ１６の回転をサーボ制御する。
【００４０】
光ピックアップサーボ回路１８は、光ピックアップ１１のサーボ機構である。この光ピックアップサーボ回路１８は、光ピックアップ１１が有するホトダイオードなどによって検出される信号に基づいて、光ピックアップ１１が有するフォーカス、トラッキング、チルトなどのサーボ機構についてのピックアップサーボ制御信号ＳＳＰを生成し、光ピックアップ１１へ出力する。このピックアップサーボ制御信号ＳＳＰが入力された光ピックアップ１１は、フォーカスやトラッキングのずれや、チルト角がゼロとなるように各サーボ機構のオフセット値を調整する。
【００４１】
プロセッサ１９は、デコーダ１５から入力されるタイミング信号ＳＷＴを用いて、そのタイミング信号ＳＷＴに含まれているアドレス情報に対応する光ディスク１上のトラック位置に対して、ホストコンピュータ２４からインタフェース部２０を介して受信した記録データＳＷＤの記録動作に係る制御を行う。なお、光ディスク装置１０が、光ピックアップ１１にて光ディスク１に既に記録されていた情報を検出した場合には、プロセッサ１９は、その検出した情報に対して８−１６復調、誤り訂正などを施した後の情報についての再生動作に係る制御も行う。このように、プロセッサ１９は、光ディスク１の記録及び再生に係る光ディスク装置１０全般の制御を行う。
【００４２】
ＲＯＭ２３は、各種情報に関するデータが格納されており、プロセッサ１９にアクセスされる。ＲＯＭ２３に格納されているデータとしては、ＷＢＬ検出部１２に入力するゼロクロス・レベルＶｒｅｆや、ＬＰＰ検出部１３に入力するデジタル値Ｖｓである。
【００４３】
エンコーダ２１は、図示しないＥＣＣジェネレータ、８−１６変調部、スクランブラ等を含み、タイミング信号ＳＷＴを反映させた記録データＳＷＴに基づいて、再生時のエラー訂正を行う単位であるＥＣＣブロックを構成するとともに、ＥＣＣブロックに対してインタリーブ、８−１６変調、スクランブル処理を施した後の変調信号ＳＲＥをレーザ制御部２２に出力する。
【００４４】
レーザ制御部２２は、変調信号ＳＲＥに基づいて、光ピックアップ１１内の図示しないレーザダイオードを駆動して光ビームＢを出射させるためのレーザ駆動信号ＳＤＬを光ピックアップ１１に出力する。
【００４５】
以上、本発明の実施の形態について、その実施の形態に基づき具体的に説明したが、これに限定されるものではなく、その要旨を逸脱しない範囲で種々変更可能である。
【００４６】
本実施の形態にあっては、記録時に抽出されるＬＰＰ信号の幅の変動を防止して一定値化し、ライトクロックのジッターを安定させる。このことで、記録後の信号品位を向上できる。
【００４７】
【発明の効果】
ＬＰＰ信号の幅の変動を防止できる。
【図面の簡単な説明】
【図１】本発明の一実施例に係る光ディスク装置を含めたシステムの概略構成図である。
【図２】本発明の一実施例に係るＷＢＬ検出部１２及びＬＰＰ検出部１３を主とする機能ブロック図である。
【図３】本発明の一実施例に係るライトクロック生成部１４を主とする機能ブロック図である。
【図４】本発明の一実施例に係る光ディスク装置の主要信号を示す波形図である。
【図５】光ディスクのプリフォーマットを説明する図である。
【符号の説明】
１　光ディスク、　２　ランドトラック、　３　プリピット、
４　グルーブトラック、　１０　光ディスク装置、　１１　光ピックアップ、
１２　　ＷＢＬ検出部、
１２ａ　ウォブル（ＷＢＬ）信号Ｂ．Ｐ．Ｆ．（Ｂａｎｄ　Ｐａｓｓ　Ｆｉｌｔｅｒ）回路、
１２ｂ　コンパレータ、　１３　ＬＰＰ検出部、
１３ａ　レベル切り替え回路、
１３ｂ　振幅調整回路、　１３ｃ　差分演算器、
１３ｄ　ＬＰＰ検出スライス・レベル調整用ＤＡＣ（閾値供給手段）、
１３ｅ　コンパレータ（２値化プリピット検出手段）、
１４　　ライトクロック生成部、
１４ｍ　ＬＰＰ信号エッジカウンター回路（プリピット信号幅計測手段）、
１４ｎ　ＬＰＰ信号幅補正回路（プリピット信号幅補正手段）、
１４ｏ　ＬＰＰ補正幅設定レジスタ（記憶手段）、
１５　デコーダ、　１６　スピンドルモータ、
１７　スピンドルサーボ回路、　１８　光ピックアップサーボ回路、
１９　プロセッサ、　２０　インタフェース部、　２１　エンコーダ、
２２　レーザー制御部、　２３　ＲＯＭ、　２４　ホストコンピュータ
【図１】
2004145922.tif 000003
【図２】
2004145922.tif 000004
【図３】
2004145922.tif 000005
【図４】
2004145922.tif 000006
【図５】
2004145922.tif 000007